(57)【要約】【課題】植え込んだ植物を立体的な配置で観賞することができ、施肥や潅水の手間が省け、地面への設置時にも虫類が発生することのない植木鉢を提供する。【解決手段】木材を用いて周壁２を多角形の筒状に形成した複数の鉢単体３を、上下に段違いの配置で一体化して鉢集合体４を形成し、最上位にある鉢単体３に施した潅水が最下位の鉢単体３に流れるように、前記鉢集合体４の上位にある鉢単体３内の下部と下位にある鉢単体３内を通水孔５で連通させ、最下位にある鉢単体３の下部に排水孔７を設け、前記鉢集合体４の下部に、鉢単体３の下面を地面から浮かすための設置脚６を設けた。【選択図】図２
2012095619.tif 000002
【特許請求の範囲】
【請求項１】
木材を用いて周壁を多角形の筒状に形成した複数の鉢単体を、上下に段違いの配置で一体化して鉢集合体を形成し、この鉢集合体の上位にある鉢単体内の下部と下位にある鉢単体内を通水孔で連通させ、最下位にある鉢単体の下部に排水孔を設け、前記鉢集合体の下部に、鉢単体の下面を地面から浮かすための設置脚を設けた植木鉢。
【請求項２】
上記複数の鉢単体は、周壁の一部を隣接する鉢単体と共用することにより一体化して鉢集合体を形成し、この共用する部分の周壁に通水孔を設けることで上位にある鉢単体内の下部と下位にある鉢単体内を連通させ、各鉢単体の周壁における何れかの辺の上端が傾斜カット面に加工されている請求項１に記載の植木鉢。
【請求項３】
上記鉢単体の内面に粒状の活性炭が取付けられている請求項１又は２に記載の植木鉢。
【発明の詳細な説明】
【技術分野】
【０００１】
この発明は、植え込んだ草花等の植物を立体的な配置で観賞できると共に、植物の育成管理が簡単に行える植木鉢に関する。
【背景技術】
【０００２】
近年、草花を育成すると共にこれを屋外や室内に陳列して観賞する趣味の人が増え、このため、様々な材質とデザインの植木鉢が提案されている。
【０００３】
一般に用いられている一個の植木鉢では、異種の植物の植え込みや栽培が行いにくいだけでなく、施肥や潅水などに不便であり、設置状態での安定性も悪いという問題があるため、例えば、複数の植木鉢単体を連続して設けることにより一体化した植木鉢が提案されている。
【０００４】
上記の一体化した植木鉢は、平面的に同形もしくは異形で同じ高さを有する複数の植木鉢単体の周壁部分をプラスチックで一体成形し、各植木鉢単体の内部を上部の位置で連通させてはいるが、実質的に各植木鉢単体の内部を独立させ、個々の植木鉢単体に植物を植え込むようになっている（例えば、特許文献１参照）。
【先行技術文献】
【特許文献】
【０００５】
【特許文献１】実開平６−６４４３７号公報
【発明の概要】
【発明が解決しようとする課題】
【０００６】
ところで、上記した一体化した植木鉢は、各植木鉢単体に異種の植物を植え込んで栽培や鑑賞ができるという利点はあるが、単純に複数の植木鉢単体を平面的に並べた構造であるので、高さに対する変化がなく、植物を立体的な配置で観賞するのに困難であると共に、栽培のための施肥や潅水は個々の植木鉢単体ごとに行わなければならず、特に、潅水時の水の消費が多くなる。
【０００７】
また、上記した一体化した植木鉢は、型を用いて成形することにより製造されるため、その外形がことなる多種類の製作に製造上の制約があり、様々のデザインや大きさを採用することが困難である。
【０００８】
更に、植木鉢を地面に設置した場合、各植木鉢単体の底が地面に接することになり、植木鉢の下に暗所及び湿気を好む虫類が発生するという問題がある。
【０００９】
そこで、この発明の課題は、デザインや大きさの選択が自由であり、かつ、植物を立体的な配置で観賞することができ、施肥や潅水の手間が省けて量を少なくできると共に、地面への設置時にも虫類が発生することのない植木鉢を提供することにある。
【００１０】
更にこの発明は、植え込み用の土が腐敗したり臭気が発生するのを効果的に抑えることができ、室内での陳列が支障なく行える植木鉢を提供することにある。
【課題を解決するための手段】
【００１１】
上記のような課題を解決するため、この発明は、木材を用いて周壁を多角形の筒状に形成した複数の鉢単体を、上下に段違いの配置で一体化して鉢集合体を形成し、この鉢集合体の上位にある鉢単体内の下部と下位にある鉢単体内を通水孔で連通させ、最下位にある鉢単体の下部に排水孔を設け、前記鉢集合体の下部に、鉢単体の下面を地面から浮かすための設置脚を設けたものである。
【００１２】
上記複数の鉢単体は、周壁の一部を隣接する鉢単体と共用することにより一体化して鉢集合体を形成し、この共用する部分の周壁に通水孔を設けることで上位にある鉢単体内の下部と下位にある鉢単体内を連通させ、各鉢単体の周壁における何れかの辺の上端が傾斜カット面に加工されているようにしてもよい。
【００１３】
また、上記鉢単体の内面に粒状の活性炭が取付けられている構造とすることができる。
【００１４】
ここで、上記鉢単体は、適宜板厚の木材を用いた周壁形成板を、複数枚で多角形の筒状に配置することができるように切り出し、隣接する周壁形成板を接着等の手段で結合することで筒状の周壁を組み立て、この周壁の下部を底板で閉鎖することで形成されている。
【００１５】
上記鉢単体を形成するとき、隣接する位置に連ねて設けようとする鉢単体との境界となる周壁形成板は共通使用するようにし、かつ、共通使用する周壁形成板を境に隣接する鉢単体に上下の段差が生じるように、下位に位置する鉢単体の周壁を形成する各周壁形成板は、共通使用する周壁形成板が高くなるように設定し、また、上位に位置する鉢単体の周壁を形成する各周壁形成板は、共通使用する周壁形成板の上端が最も低くなるように設定する。
【００１６】
また、上位に位置する鉢単体は、その底部が下位に位置する鉢単体の上下方向の途中になるよう設定し、共通使用する周壁形成板に設けた通水孔は、上位に位置する鉢単体の内部底面高さの位置に設定され、上位の鉢単体内に施した潅水が下位の鉢単体内に流れるようになっており、多数個の鉢単体を連ねた鉢集合体においては、潅水は上位から下位へ順番に棚田のような流れになる。
【００１７】
上記鉢集合体の下部に設ける設置脚は木材を用い、鉢集合体を地面に設置した場合、少なくとも最下位鉢単体の下面が地面から浮くように、鉢単体の下部に接着固定されている。
【発明の効果】
【００１８】
この発明によると、木材を用いて周壁を多角形の筒状に形成した複数の鉢単体を、上下に段違いの配置で一体化して鉢集合体を形成したので、各鉢単体ごとに植物を植え込むことで立体的に配置することができ、全ての植物が見えることで美観と豪華さを演出することができる。
【００１９】
木材を用いた複数の鉢単体を集合体にした構造であるので、大きさやデザイン、鉢単体の連結数、塗装による色彩等の選択に自由度があり、購買者の希望に合わせたものを低価格で製作提供できる。
【００２０】
鉢集合体の上位にある鉢単体内の下部と下位にある鉢単体内を通水孔で連通させ、最下位にある鉢単体の下部に排水孔を設けたので、最上部にある鉢単体内に対して施肥や潅水を行えば、施肥や潅水は棚田のように流れることで全ての鉢単体内に対して行き渡らせることができ、施肥や潅水の手間が省けると共に、消費量の削減が図れて経済的である。
【００２１】
鉢集合体の下部に、鉢単体の下面を地面から浮かすための設置脚を設けたので、地面に設置したとき、鉢集合体を地面から浮かすことができ、設置地面に虫類が発生するのを防ぐことができる。
【００２２】
各鉢単体の周壁における何れかの辺の上端が傾斜カット面に加工されているようにすることで、各鉢単体に見た目の変化を与えることができ、鉢集合体のデザイン性を向上させることができる。
【００２３】
鉢単体の内面に粒状の活性炭を取付けることで、植え込み用の土が腐敗したり臭気が発生するのを効果的に抑えることができる。
【図面の簡単な説明】
【００２４】
【図１】この発明に係る植木鉢において、４個の鉢単体を一体化して鉢集合体を形成した例を示す斜視図
【図２】（ａ）は図１の平面図、（ｂ）は同じく図１の長さ方向に沿う縦断面図
【図３】図１の植木鉢に植物を植え込んだ状態を示す縦断面図
【図４】この発明に係る植木鉢において、２個の鉢単体を一体化して鉢集合体を形成した例を示す斜視図
【図５】（ａ）は図４の平面図、（ｂ）は同じく図４の長さ方向に沿う縦断面図
【発明を実施するための形態】
【００２５】
以下、この発明の実施の形態を図示例に基づいて説明する。
【００２６】
図示のように、この発明の植木鉢１は、木材を用いて周壁２を多角形の筒状に形成した複数の鉢単体３を、上下に段違いの配置で一体化して鉢集合体４とし、この鉢集合体４の上位にある鉢単体内の下部と下位にある鉢単体内を通水孔５で連通させ、前記鉢集合体４の下部に、各鉢単体３の下面を地面から浮かすための設置脚６を設けて形成されている。
【００２７】
上記鉢単体３は、比較的厚みのある板厚の木材を用いた周壁形成板２ａを、複数枚で三角形以上の多角形の筒状に配置することができるように切り出し、隣接する周壁形成板２ａを接着等の手段で順次結合することで筒状の周壁２を組み立て、この周壁２の下部を周壁２と同様の多角形にした底板２ｂで閉鎖することで、上面が開放した水の漏れない容器に形成されている
【００２８】
上記鉢単体３を形成するとき、隣接する位置に連ねて設けようとする鉢単体３同士は、境界となる一枚の周壁形成板２ａ´を共通使用することによって連成し、この共通使用する周壁形成板２ａ´を境に隣接する鉢単体３に上下の段差が生じるように、下位に位置する鉢単体の周壁を形成する各周壁形成板２ａは、共通使用する周壁形成板２ａ´が対面位置にある周壁形成板２ａよりも高くなるように設定し、また、上位に位置する鉢単体の周壁２を形成する各周壁形成板２ａは、共通使用する周壁形成板２ａ´の上端が最も低くなるように設定する。
【００２９】
また、図２（ｂ）のように、上位に位置する鉢単体３は、その底部が下位に位置する鉢単体３の上下方向の途中になるよう設定し、これにより、下位に位置する鉢単体３と上位に位置する鉢単体３に上下方向の段差を生じさせ、複数の鉢単体３が階段状の配置になっている。
【００３０】
下位に位置する鉢単体３内と上位に位置する鉢単体３内を連通させる通水孔５は、共通使用する周壁形成板２ａ´に設けられ、この通水孔５は上位に位置する鉢単体３の内部底面高さの位置に設定され、これにより、通水孔５は下位の鉢単体３内における上部寄りの位置で開口し、最上位の鉢単体３内に施した潅水が下位の鉢単体３内に順次流れるようになっている。
【００３１】
上記鉢集合体４の下部に設ける設置脚６は木材を用い、鉢集合体４を地面に設置した場合、少なくとも最下位鉢単体３の下面が地面から浮くように、最下位鉢単体３の下面には短い設置脚６が、上位の鉢単体３の下面にはそれよりも長い設置脚６がそれぞれ接着固定されている。
【００３２】
上記鉢集合体４において、最下位にある鉢単体３の一つの周壁形成板２ａには、内部底面に対応する高さ位置に排水孔７が設けられ、また、各鉢単体３の内部底面や内周面には粒状の活性炭８が接着されている。
【００３３】
また、図４と図５のように、各鉢単体３は、木製の特徴を生かし、何れかの周壁形成板２ａにおける上端を各種方向の傾斜カット面９に加工することで、見た目の変化を生じさせるようにすることができ、かつ、各鉢単体３の内外面は耐水性の塗料により塗装することができる。
【００３４】
このように、植木鉢１全体を木製とすることにより、型を用いた成形品の植木鉢に比べて、鉢集合体４として一体化する鉢単体３の数と各鉢単体３の大きさ、鉢単体３の連成配置及び多角形の形状を自由に選択でき、デザイン的にも変化のある植木鉢１を製作することができることになる。
【００３５】
図１乃至図３は、４個の鉢単体３を一体化した鉢集合体４の例を示し、図２（ｂ）と図３のように各鉢単体３は上下に階段状の配置となり、鉢集合体４全体を安定よく水平に設置できるよう、最下位の鉢単体３における下面に短い設置脚６が設けられ、中間位と最上位の鉢単体３における下部に長い設置脚６が設けられている。
【００３６】
また、図４と図５は２個の鉢単体３を一体化した鉢集合体４の例を示し、下位の鉢単体３における下面に短い設置脚６と上位の鉢単体３における下部に長い設置脚６が設けられ、鉢集合体４全体を安定よく水平に設置できるようにいている。
【００３７】
この発明の植木鉢は上記のような構成であり、図３のように、各鉢単体３内に土ａを充填して各鉢単体３ごとに異種や同種の植物ｂを植え込み、植物ｂの育成と観賞に供するものであり、各鉢単体３は上下に段差のある階段状になっているので、屋内や屋外に設置して観賞した場合に植物ｂは立体的な配置となり、前のもので隠れることなく全ての植物が見えることで豪華さを演出することができる。
【００３８】
また、最上位の鉢単体３の土に対して潅水を施すと、図２（ｂ）に矢印で示すように、潅水は通水孔５を通ることで、上位の鉢単体３から下位の鉢単体３に向けて棚田のように流れ、最上位の鉢単体３の土ａに潅水するだけで全ての鉢単体３の土ａに潅水することができ、余剰の潅水は最下位鉢単体３に設けた排水孔７から流出するので、これを適当な容器で受けるようにすればよく、潅水や施肥の手間が省けるだけでなく、潅水や施肥量の削減が図れることになる。
【００３９】
更に、植木鉢１は、設置脚６によって下面を地面から浮かせた状態で設置できるので、地面に暗所及び湿気を好む虫類が発生するのを防止でき、かつ、各鉢単体３の内部に粒状の活性炭８が貼り付けてあるので、土ａに生じる臭気や腐敗を有効に抑えることができ、室内に設置して花を楽しむ場合に適している。
【符号の説明】
【００４０】
１          植木鉢
２          周壁
２ａ        周壁形成板
２ａ´      周壁形成板
２ｂ        底板
３          鉢単体
４          鉢集合体
５          通水孔
６          設置脚
７          排水孔
８          活性炭
【図１】
2012095619.tif 000003
【図２】
2012095619.tif 000004
【図３】
2012095619.tif 000005
【図４】
2012095619.tif 000006
【図５】
2012095619.tif 000007